(57)【要約】【課題】  インターホン子機からの呼び出しに対して、電話端末や携帯端末に呼出音の鳴動に合わせて来訪者映像を出画できるようにし、インターホン親機が無くてもインターホン子機に電源の供給を可能とする。【解決手段】  ＳＩＰ仕様のインターホン子機１と、ＩＰテレビ電話４ａをゲートウェイ６を介して接続し、ゲートウェイ６とインターホン子機１の間の通信線Ｌ１上にインターホン子機１に電源を供給するＰｏＥスイッチ３を配置した。インターホン子機１が呼出操作されたらＩＰテレビ電話４ａを呼び出し、呼び出されたＩＰテレビ電話４ａは、インターホン子機１に受信信号を返信してカメラ１２の映像信号を待ち、映像信号を受信したらモニタ１６に出画させると共に呼出音を鳴動させた。【選択図】  図１
2009117916.tif 000002
【特許請求の範囲】
【請求項１】
居住者を呼び出して通話する機能及び来訪者を撮像するためのカメラを備え、ＳＩＰで送受信を実施するインターホン子機と、
前記インターホン子機に通信線を介して電源を供給するＰｏＥスイッチと、
インターネット網に接続されてＩＰ通話を実施できると共にＳＩＰで送受信を実施し、更に映像を出画可能なモニタを備えたＩＰテレビ電話と、
前記ＩＰテレビ電話を前記ＰｏＥスイッチを介して前記インターホン子機に接続するためのゲートウェイとを備え、
前記インターホン子機は、前記ＩＰテレビ電話の電話番号を記憶する電話番号記憶部と、呼出操作が成されたら電話番号に基づく呼出信号を前記ゲートウェイに出力する子機制御部とを有して、前記ＩＰテレビ電話を呼出制御する一方、前記ＩＰテレビ電話には前記呼出信号を受けて前記インターホン子機に受信信号を返信する呼出・応答制御手段が設けられ、
前記インターホン子機の子機制御部は、前記受信信号を受けたら前記カメラが撮像した映像信号を前記ＩＰテレビ電話に送信し、前記ＩＰテレビ電話の前記呼出・応答制御手段は、送信された前記映像信号を前記モニタに出画させると共に呼出音を鳴動させることを特徴とするテレビインターホンシステム。
【請求項２】
前記呼出・応答制御手段は、呼出音鳴動後に前記ＩＰテレビ電話が応答操作されると、前記ゲートウェイ、前記ＰｏＥスイッチを介して前記インターホン子機に応答信号を送信し、前記インターホン子機とＩＰテレビ電話との間の通話が可能となることを特徴とする請求項１記載のテレビインターホンシステム。
【請求項３】
前記インターホン子機は、前記応答信号を受信して所定時間経過しても前記ＩＰテレビ電話で終話操作が行われない場合に、前記ＩＰテレビ電話に対して切断信号を送信する通話路制御手段を有し、通話状態が所定時間継続したら前記ＩＰテレビ電話を待受状態に移行させることを特徴とする請求項２記載のテレビインターホンシステム。
【請求項４】
前記通話路制御手段は、前記呼出信号及び前記映像信号を送信して所定時間経過しても前記ＩＰテレビ電話で応答操作が行われない場合には、前記ＩＰテレビ電話に対して切断信号を送信し、前記電話端末を呼出状態から待受状態に移行させることを特徴とする請求項３記載のテレビインターホンシステム。
【請求項５】
前記ＩＰテレビ電話は、前記インターホン子機を起動操作する子機起動ボタンを有し、
前記子機起動ボタンの操作により前記呼出・応答制御手段は、所定の起動信号を前記ＰｏＥスイッチを介して前記インターホン子機に送信し、
前記インターホン子機は、前記起動信号を受けて前記カメラの撮像映像及び子機マイクの集音内容を、前記ＩＰテレビ電話に送信することを特徴とする請求項１乃至４の何れかに記載のテレビインターホンシステム。
【請求項６】
前記ＰｏＥスイッチには少なくとも１台のインターホン子機に加えてＳＩＰ対応Ｗｅｂカメラが接続され、前記ＩＰテレビ電話は起動させる前記インターホン子機或いはＷｅｂカメラを選択する子機選択操作部を有することを特徴とする請求項５記載のテレビインターホンシステム。
【請求項７】
モニタ無しＩＰ電話が前記ゲートウェイに接続され、前記インターホン子機の呼出操作を受けて前記モニタ無しＩＰ電話が呼び出された場合、前記モニタＩＰ電話は前記呼出信号を受けて呼出音を鳴動するが、前記インターホン子機から送信された映像信号を破棄して応答を可能とする呼出・応答制御手段を有することを特徴とする請求項１記載のテレビインターホンシステム。
【請求項８】
居住者を呼び出して通話する機能及び来訪者を撮像するためのカメラを備え、ＳＩＰで送受信を実施するインターホン子機と、
前記インターホン子機に通信線を介して電源を供給するＰｏＥスイッチと、
インターネット網に接続されてＩＰ通話を実施できると共にＳＩＰで送受信を実施し、更に映像を出画可能なモニタを備えたＩＰテレビ電話と、
前記ＩＰテレビ電話を前記ＰｏＥスイッチを介して前記インターホン子機に接続するためのゲートウェイと、
公衆ＩＰ通信網に前記インターホン子機及びＩＰテレビ電話を接続するためのサーバと、
前記公衆ＩＰ通信網に接続可能であって映像を出画可能なモニタを備えた携帯端末とを備え、
前記インターホン子機は、前記携帯端末の電話番号を記憶する電話番号記憶部と、呼出操作が成されたら電話番号に基づく呼出信号を前記ゲートウェイに出力する子機制御部とを有して、公衆ＩＰ通信網を介して前記携帯端末を呼出制御する一方、前記携帯端末には前記呼出信号を受けて前記インターホン子機に受信信号を返信する呼出・応答制御手段が設けられ、
前記インターホン子機の子機制御部は、前記受信信号を受けて前記カメラが撮像した映像信号を、公衆ＩＰ通信網を介して前記携帯端末に送信し、前記携帯端末の呼出・応答制御手段は、送信された前記映像信号を前記携帯端末のモニタに出画させると共に呼出音を鳴動させることを特徴とするテレビインターホンシステム。
【請求項９】
前記呼出・応答制御手段は、呼出音鳴動後に前記携帯端末が応答操作されると、前記公衆ＩＰ通信網を介して前記インターホン子機に対して応答信号を送信し、前記インターホン子機と前記携帯端末間の通話が可能となることを特徴とする請求項８記載のテレビインターホンシステム。
【請求項１０】
前記インターホン子機は、前記応答信号を受信して所定時間経過しても前記携帯端末で終話操作が行われない場合に、前記携帯端末に対して切断信号を送信する通話路制御手段を有し、通話状態が所定時間継続したら前記携帯端末を待受状態に移行させることを特徴とする請求項９記載のテレビインターホンシステム。
【請求項１１】
前記通話路制御手段は、前記呼出信号及び前記映像信号を送信して所定時間経過しても前記携帯端末で応答操作を行われない場合には、前記携帯端末に対して切断信号を送信し、前記携帯端末を呼出状態から待受状態に移行させることを特徴とする請求項１０記載のテレビインターホンシステム。
【請求項１２】
前記携帯端末は、前記インターホン子機を起動操作する子機起動ボタンを有し、前記子機起動ボタンの操作により前記呼出・応答制御手段は、所定の起動信号を前記ＰｏＥスイッチを介して前記インターホンに送信し、
前記起動信号を受けた前記インターホン子機は、前記カメラの撮像映像及び子機マイクの集音情報を、前記電話端末に送信することを特徴とする請求項８乃至１１の何れかに記載のテレビインターホンシステム。
【請求項１３】
前記ＰｏＥスイッチには少なくとも１台のインターホン子機に加えてＳＩＰ対応のＷｅｂカメラが接続され、前記携帯端末は起動させる前記インターホン子機又はＷｅｂカメラを選択する子機選択ボタンを有することを特徴とする請求項１２記載のテレビインターホンシステム。
【発明の詳細な説明】
【技術分野】
【０００１】
本発明は、来訪者からの呼出操作に対してカメラが撮像した来訪者映像を見ながら応答できるテレビインターホンシステムに関し、特に専用の親機がなくてもインターホン子機からの呼び出しに対してＩＰ電話や携帯電話等で応答できるテレビインターホンシステムに関する。
【背景技術】
【０００２】
従来より、玄関に設置されたインターホン子機を来訪者が操作して住戸内に設置されたインターホン親機に呼び出しをかけ、呼び出しに応答した居住者が来訪者映像を見ながら通話できるテレビインターホンシステムがある。そして、このようなシステムにおいて、携帯電話等の電話端末を接続してインターホン子機から呼び出しがなされたら、インターホン親機以外の電話端末に呼び出しがかかり、インターホン親機以外の機器により応答ができるシステムがある（例えば、特許文献１参照）。
【特許文献１】特開２００４−２３６０８３号公報
【発明の開示】
【発明が解決しようとする課題】
【０００３】
しかしながら、インターホン親機以外の機器でも応答できる従来のテレビインターホンシステムは、来訪者映像を見ながらの応答が可能であっても、呼出音の鳴動に合わせて映像が表示されることはなく、通話ボタン等が操作されて通話路が形成されて初めて来訪者映像が表示された。そのため、インターホン親機から応答する場合は、呼出音の報音に合わせてモニタに来訪者映像が表示されるため、この映像を見て来訪者を確認した後、通話ボタンを操作して応答するといった操作ができたのに対し、応答したくない来訪者の場合でも応答してしまうといった問題があった。
【０００４】
また、インターホン親機以外の機器での応答を可能とした場合、利便性が良い為、逆にインターホン親機が無くてもよいとする利用者の声があった。ところが、インターホン子機は通信線で接続されたインターホン親機から電源の供給を受けるよう構成されているため、インターホン親機の設置は必須であった。
【０００５】
そこで、本発明はこのような要望を鑑み、インターホン子機からの呼び出しに対して、電話端末或いは携帯端末により応答を可能としたテレビインターホンシステムにおいて、呼出音の鳴動に合わせて来訪者映像を出画できるようにし、更にインターホン親機が無くてもインターホン子機に電源を供給できるテレビインターホンシステムを提供することを目的とする。
【課題を解決するための手段】
【０００６】
上記課題を解決する為に、請求項１に記載の発明は、居住者を呼び出して通話する機能及び来訪者を撮像するためのカメラを備え、ＳＩＰで送受信を実施するインターホン子機と、インターホン子機に通信線を介して電源を供給するＰｏＥスイッチと、インターネット網に接続されてＩＰ通話を実施できると共にＳＩＰで送受信を実施し、更に映像を出画可能なモニタを備えたＩＰテレビ電話と、ＩＰテレビ電話をＰｏＥスイッチを介してインターホン子機に接続するためのゲートウェイとを備え、インターホン子機は、ＩＰテレビ電話の電話番号を記憶する電話番号記憶部と、呼出操作が成されたら電話番号に基づく呼出信号をゲートウェイに出力する子機制御部とを有して、ＩＰテレビ電話を呼出制御する一方、ＩＰテレビ電話には呼出信号を受けてインターホン子機に受信信号を返信する呼出・応答制御手段が設けられ、インターホン子機の子機制御部は、受信信号を受けたらカメラが撮像した映像信号をＩＰテレビ電話に送信し、ＩＰテレビ電話の呼出・応答制御手段は、送信された映像信号をモニタに出画させると共に呼出音を鳴動させることを特徴とする。
【０００７】
この構成によれば、インターホン子機は通信線を介してＰｏＥスイッチから電源が供給されるため、インターホン親機から電源の供給を受けること無く動作する。そして、モニタ付の電話端末において、インターホン子機から呼び出しが成されたら、呼出報音に合わせて来訪者映像がモニタに出画される。よって、居住者は応答操作することなく映像で来訪者を確認することができる。
【０００８】
尚、ＳＩＰはSession  Initiation  Protocolの略であり、インターネット通信に使用される公知の通信プロトコルの名称である。また、ＰｏＥはPower  over  Ethernet（Ethernetは登録商標）の略で、通信配線上のＵＴＰケーブルを通じて電力を供給する公知の技術であり、ＰｏＥスイッチによる電源の供給は、IEEE 802.3af PoE（または802.3atもしくはＰｏＥ Plus）で規定された電力となる。更に、ＩＰはInternet  Protocolの略である。
【０００９】
請求項２の発明は、請求項１に記載の発明において、呼出・応答制御手段は、呼出音鳴動後にＩＰテレビ電話が応答操作されると、ゲートウェイ、ＰｏＥスイッチを介してインターホン子機に応答信号を送信し、インターホン子機とＩＰテレビ電話との間の通話が可能となることを特徴とする。
この構成によれば、インターホン子機と電話端末（ＩＰテレビ電話）との間で通話でき、電話端末にインターホン親機の機能を持たせることができるので、インターホン親機が無くても良好なインターホンシステムを構成できる。
【００１０】
請求項３の発明は、請求項２に記載の発明において、インターホン子機は、応答信号を受信して所定時間経過してもＩＰテレビ電話で終話操作が行われない場合に、ＩＰテレビ電話に対して切断信号を送信する通話路制御手段を有し、通話状態が所定時間継続したらＩＰテレビ電話を待受状態に移行させることを特徴とする。
この構成によれば、インターホン子機との間で通話路を形成した電話端末が一定時間経過しても終話操作されなければ、電話端末は自動で待受け状態に戻るため、利便性が良い。
【００１１】
請求項４の発明は、請求項３に記載の発明において、通話路制御手段は、呼出信号及び映像信号を送信して所定時間経過してもＩＰテレビ電話で応答操作が行われない場合には、ＩＰテレビ電話に対して切断信号を送信し、電話端末を呼出状態から待受状態に移行させることを特徴とする。
この構成によれば、インターホン子機からの呼出状態となっている時に、電話端末で一定時間応答することがなければ待受け状態に戻るので利便性が良い。
【００１２】
請求項５の発明は、請求項１乃至４の何れかに記載の発明において、ＩＰテレビ電話は、インターホン子機を起動操作する子機起動ボタンを有し、子機起動ボタンの操作により呼出・応答制御手段は、所定の起動信号をＰｏＥスイッチを介してインターホン子機に送信し、インターホン子機は、起動信号を受けてカメラの撮像映像及び子機マイクの集音内容を、ＩＰテレビ電話に送信することを特徴とする。
この構成によれば、電話端末側の操作でインターホン子機を起動し、カメラ撮像映像及び集音した音情報を入手できるので、インターホン親機がなくても玄関等の監視をすることができる。
【００１３】
請求項６の発明は、請求項５に記載の発明において、ＰｏＥスイッチには少なくとも１台のインターホン子機に加えてＳＩＰ対応Ｗｅｂカメラが接続され、ＩＰテレビ電話は起動させるインターホン子機或いはＷｅｂカメラを選択する子機選択操作部を有することを特徴とする。
この構成によれば、電話端末からモニタする機器を選択できるので、複数のインターホン子機等を備えていても夫々のカメラ映像を確認でき利便性が良い。
【００１４】
請求項７の発明は、請求項１に記載の発明において、モニタ無しＩＰ電話がゲートウェイに接続され、インターホン子機の呼出操作を受けてモニタ無しＩＰ電話が呼び出された場合、モニタＩＰ電話は呼出信号を受けて呼出音を鳴動するが、インターホン子機から送信された映像信号を破棄して応答を可能とする呼出・応答制御手段を有することを特徴とする。
この構成によれば、電話端末において映像を出画する機能が無くても、カメラ付インターホン子機からの呼び出しに対して良好に応答できる。
【００１５】
請求項８の発明は、居住者を呼び出して通話する機能及び来訪者を撮像するためのカメラを備え、ＳＩＰで送受信を実施するインターホン子機と、インターホン子機に通信線を介して電源を供給するＰｏＥスイッチと、インターネット網に接続されてＩＰ通話を実施できると共にＳＩＰで送受信を実施し、更に映像を出画可能なモニタを備えたＩＰテレビ電話と、ＩＰテレビ電話をＰｏＥスイッチを介してインターホン子機に接続するためのゲートウェイと、公衆ＩＰ通信網にインターホン子機及びＩＰテレビ電話を接続するためのサーバと、公衆ＩＰ通信網に接続可能であって映像を出画可能なモニタを備えた携帯端末とを備え、インターホン子機は、携帯端末の電話番号を記憶する電話番号記憶部と、呼出操作が成されたら電話番号に基づく呼出信号をゲートウェイに出力する子機制御部とを有して、公衆ＩＰ通信網を介して携帯端末を呼出制御する一方、携帯端末には呼出信号を受けてインターホン子機に受信信号を返信する呼出・応答制御手段が設けられ、
インターホン子機の子機制御部は、受信信号を受けてカメラが撮像した映像信号を、公衆ＩＰ通信網を介して携帯端末に送信し、携帯端末の呼出・応答制御手段は、送信された映像信号を携帯端末のモニタに出画させると共に呼出音を鳴動させることを特徴とする。
【００１６】
この構成によれば、インターホン子機は通信線を介してＰｏＥスイッチから電源が供給されるため、インターホン親機から電源の供給を受けること無く動作する。そして、携帯端末においてインターホン子機から呼び出しが成されたら呼出報音に合わせて来訪者映像がモニタに出画される。よって、居住者は応答操作することなく映像で来訪者を確認することができる。
【００１７】
請求項９の発明は、請求項８に記載の発明において、呼出・応答制御手段は、呼出音鳴動後に携帯端末が応答操作されると、公衆ＩＰ通信網を介してインターホン子機に対して応答信号を送信し、インターホン子機と携帯端末間の通話が可能となることを特徴とする。
この構成によれば、インターホン子機と携帯電話との間で通話でき、携帯端末にインターホン親機の機能を持たせることができるので、インターホン親機が無くても良好なインターホンシステムを構成できる。
【００１８】
請求項１０の発明は、請求項９に記載の発明において、インターホン子機は、応答信号を受信して所定時間経過しても携帯端末で終話操作が行われない場合に、携帯端末に対して切断信号を送信する通話路制御手段を有し、通話状態が所定時間継続したら携帯端末を待受状態に移行させることを特徴とする。
この構成によれば、インターホン子機との間で通話路を形成した携帯端末が一定時間経過しても終話操作されなければ、携帯端末は自動で待受け状態に戻るため、利便性が良い。
【００１９】
請求項１１の発明は、請求項１０に記載の発明において、通話路制御手段は、呼出信号及び映像信号を送信して所定時間経過しても携帯端末で応答操作を行われない場合には、携帯端末に対して切断信号を送信し、携帯端末を呼出状態から待受状態に移行させることを特徴とする。
この構成によれば、インターホン子機からの呼出状態となっている時に、携帯端末で一定時間応答することがなければ待受け状態に戻るので利便性が良い。
【００２０】
請求項１２の発明は、請求項８乃至１１の何れかに記載の発明において、携帯端末は、インターホン子機を起動操作する子機起動ボタンを有し、子機起動ボタンの操作により呼出・応答制御手段は、所定の起動信号をＰｏＥスイッチを介してインターホンに送信し、起動信号を受けたインターホン子機は、カメラの撮像映像及び子機マイクの集音情報を、電話端末に送信することを特徴とする。
この構成によれば、携帯端末側の操作でインターホン子機のカメラを起動でき、撮像映像及び音情報を携帯端末が入手できるので、インターホン親機がなくても玄関等の監視をすることができる。
【００２１】
請求項１３の発明は、請求項１２に記載の発明において、ＰｏＥスイッチには少なくとも１台のインターホン子機に加えてＳＩＰ対応のＷｅｂカメラが接続され、携帯端末は起動させるインターホン子機又はＷｅｂカメラを選択する子機選択ボタンを有することを特徴とする。
この構成によれば、携帯端末でモニタする機器を選択できるので、複数のインターホ子機またはＷｅｂカメラを備えていても夫々のカメラ撮像映像をインターホン親機以外で確認でき、利便性が良い。
【発明の効果】
【００２２】
本発明によれば、インターホン子機にはＰｏＥスイッチから電源が供給されるため、インターホン親機に頼らず電源を供給することができる。そして、モニタ付の電話端末或いは携帯端末において、インターホン子機から呼び出しが成されたら呼出報音すると同時に来訪者映像をモニタに出画させることができるので、居住者は応答操作することなく映像で来訪者を確認することができる。
そして、電話端末或いは携帯端末で応答操作すればインターホン子機との間で通話できるので、インターホン親機が無くてもインターホンの機能が阻害されることがなく、良好なインターホンを構成できる。
【発明を実施するための最良の形態】
【００２３】
以下、本発明を具体化した実施の形態を、図面に基づいて詳細に説明する。図１は本発明に係るテレビインターホンシステムの構成図の一例を示し、１（１ａ，１ｂ）は居住者を呼び出して通話するためのインターホン子機（第１インターホン子機１ａと第２インターホン子機１ｂ）、２はＷｅｂカメラ、３は通信線を介してインターホン子機１に電源供給を行うＰｏＥスイッチ、４ａ，４ｂは携帯電話網Ｐに接続されて外部と通話するための電話端末、６はインターホン子機１やＷｅｂカメラ２に電話端末４ａ，４ｂや他の機器を接続するためのゲートウェイ、７はサーバ管理業者に備えられて交換機能を有し、ＳＩＰ仕様に基づいてデータのやり取りを行なうＳＩＰサーバ、８は居住者が携行する携帯端末、９は携帯端末８と通信するために携帯電話網Ｐ上に設けられている基地局、Ｐは携帯電話網、Ｑは公衆ＩＰ通信網である。
尚、携帯電話網Ｐと公衆ＩＰ通信網Ｑとは連携され、相互通信が可能となっており、公衆ＩＰ通信網Ｑはインターネット網でもある。また、Ｒは住戸内であることを示している。
【００２４】
第１及び第２の２台のインターホン子機１ａ，１ｂは、ＳＩＰ通信を実施するよう構成され、玄関等の住戸外に設置されて来訪者を撮像するためのカメラ１２、呼出ボタン１３、マイク及びスピーカを備えた通話部（図示せず）を有している。また、１４は電話端末４や携帯端末８等の呼出先機器の電話番号を記憶する記憶部、１５はＣＰＵを備えた制御部（子機制御部）を示している。呼出制御や接続制御する際、制御部１５が、記憶部１４に記憶している電話番号に基づきＳＩＰ仕様の呼出信号を生成して接続制御を実施する。そして、インターホン子機１はＰｏＥスイッチ３に通信線Ｌ１で接続されている。
【００２５】
Ｗｅｂカメラ２も同様にＳＩＰ通信を実施する通信制御部（図示せず）を有し、撮像映像がＳＩＰ仕様の信号で送信され、通信線Ｌ２でＰｏＥスイッチ３に接続されている。尚、Ｗｅｂカメラ２がマイク及びスピーカを備えている場合は、音声もＳＩＰ通信により送受される。
【００２６】
一方、電話端末４は、インターネット網を介して通話を実施するＩＰ電話であり、映像を出画可能なモニタ１６を備えたＩＰテレビ電話４ａと、モニタ無しＩＰ電話４ｂの２台を有している。双方ともゲートウェイ６に通信線Ｌ３で接続されて、ゲートウェイ６は、通信線Ｌ４を介してＰｏＥスイッチ３に接続されると共に、公衆ＩＰ通信網Ｑに通信線Ｌ５を介して接続されている。そして、電話端末４はＳＩＰ通信を実施し、公衆ＩＰ通信網Ｑ上に配置されているＳＩＰサーバ７にアクセスできるよう構成されている。
【００２７】
このうちＩＰテレビ電話４ａは、図２の回路ブロック図に示すように構成されている。即ち、ゲートウェイ６と通信を行うための送受信回路２０、呼出音を発生するリンガー回路２１、ハンドセット２２による通話を可能とする通話回路２３、通話路を形成／切断する通話路スイッチ２４、電話を掛ける際に操作するダイヤルボタン２５、呼出信号を発生させるダイヤラー回路２６、受信した映像信号を復調等処理する映像処理回路２７、映像を出画するためのモニタ１６、電話端末を制御するＣＰＵを備えた電話端末制御部２８を具備している。尚、モニタ無しＩＰ電話４ｂは、映像処理回路及びモニタが無い点以外はＩＰテレビ電話４ａと同様の構成となっている。
【００２８】
携帯端末８は、図３の回路ブロック図に示すように構成されている。即ち、基地局９と通信するためのアンテナ３１を備えた送受信回路３２、呼出音を発生するリンガー回路３３、マイク３４ａ及びスピーカ３４ｂを制御する通話回路３４、呼び出しに応答するための通話ボタン３５、通話路を形成／切断する通話路スイッチ３６、電話を掛ける等各種操作を行うための操作部３７、受信した映像信号を復調等処理する映像処理回路３８、映像を出画するためのモニタ３９、携帯端末８を制御するＣＰＵからなる携帯端末制御部４０を具備している。
【００２９】
このように構成されたテレビインターホンシステムの呼び出し／応答動作を以下説明する。尚、ゲートウェイ６は、接続された機器に適合するよう設定されたホームゲートウェイであり、玄関端末１から伝送された映像信号を出力する際に、宅内の内線通話では擬似ＳＩＰサーバの機能も果たすよう構成されている。
【００３０】
まず、インターホン子機１の呼出操作を受けてＩＰテレビ電話４ａで応答する動作を図４の動作シーケンス図に基づいて説明する。来訪者等によりインターホン子機１の呼出ボタン１３が押されると、インターホン子機１は、記憶している電話番号を含むＳＩＰ仕様呼出信号（Ｓ１）を送信する。ＳＩＰ仕様呼出信号（Ｓ１）は、ＰｏＥスイッチ３を介してゲートウェイ６に送信され、ゲートウェイ６がＩＰ電話４と通信可能な信号に変換してＩＰテレビ電話４ａに送信される。
【００３１】
このＳＩＰ仕様呼出信号（Ｓ１）を受信したＩＰテレビ電話４ａでは、電話端末制御部２８の制御によりＳＩＰ仕様受信信号（Ｓ２）が生成され、ゲートウェイ６に送信される。そして、ゲートウェイ６はＰｏＥスイッチ３を介してインターホン子機１にＳＩＰ仕様受信信号（Ｓ２）を送信する。この返信を受けてインターホン子機１は、呼出音／音声／映像信号（Ｓ３）を、ＰｏＥスイッチ３，ゲートウェイ６を介してＩＰテレビ電話４ａへ送信し、片方向通話路／映像路を形成する。こうして、ＩＰテレビ電話４ａが呼出状態となり、通話前にモニタ１６にカメラ１２の撮像映像が出画される。
【００３２】
この呼出動作を受けて、居住者によりＩＰテレビ電話４ａのハンドセット２２を取り上げる等の通話操作が行なわれると、ＩＰテレビ電話４ａからＳＩＰ仕様応答信号（Ｓ４）が送信され、ゲートウェイ６，ＰｏＥスイッチ３を介してインターホン子機１に送られる。こうして、インターホン子機１とＩＰテレビ電話４ａの間で双方向通話路が形成されて通話状態（Ｓ５）となり、居住者はＩＰテレビ電話４ａのモニタ映像を見ながら来訪者と通話を実施できる。
【００３３】
その後、通話状態を終了させる為にＩＰテレビ電話４ａのハンドセット２２を置く等の終話操作を行うと、ＳＩＰ仕様切断信号（Ｓ６）がゲートウェイ６，ＰｏＥスイッチ３を介してインターホン子機１に伝送される。同時にインターホン子機１から、ＳＩＰ仕様切断応答信号（Ｓ７）がＰｏＥスイッチ３，ゲートウェイ４を介してＩＰテレビ電話４ａに伝送され、インターホン子機１とＩＰテレビ電話４ａ間の通話路、映像路が切断されて待受け状態に戻る。
但し、インターホン子機１は、通話状態（Ｓ５）中に例えば１０分等の所定時間が経過、又は呼出音／映像信号（Ｓ３）を送信している呼出状態中に例えば２分等の所定時間が経過すると、終話操作された時と同じ動作を実施してＩＰテレビ電話４ａは待受け状態となる。
【００３４】
このように、インターホン子機は通信線を介してＰｏＥスイッチから電源が供給されるため、インターホン親機から電源の供給を受けること無く動作する。そして、モニタ付の電話端末において、インターホン子機から呼び出しが成されたら、呼出報音に合わせて来訪者映像がモニタに出画される。よって、居住者は応答操作することなく映像で来訪者を確認することができる。
また、インターホン子機と電話端末（ＩＰテレビ電話）との間で通話でき、電話端末にインターホン親機の機能を持たせることができるので、インターホン親機が無くても良好なインターホンシステムを構成できる。
【００３５】
更に、インターホン子機との間で通話路を形成した電話端末が一定時間経過しても終話操作されなければ、電話端末は自動で待受け状態に戻るし、インターホン子機からの呼出状態となっている時に、電話端末で一定時間応答することがなければ待受け状態に戻るので利便性が良い。
【００３６】
次に、ＩＰテレビ電話４ａ操作によるインターホン子機１またはＷｅｂカメラ２を起動させてモニタするモニタ動作を図５のシーケンス図を基に説明する。インターホン子機１の起動は、ＩＰテレビ電話４ａのテンキー等を操作して予め設定されているインターホン子機１の内線番号を入力して実施される。この操作で第１インターホン子機１ａが選択されると、ＳＩＰ仕様モニタ信号（Ｓ１１）が生成され、ＩＰテレビ電話４ａからゲートウェイ６，ＰｏＥスイッチ３を介して第１インターホン子機１ａに送信される。
【００３７】
第１インターホン子機１ａは、このＳＩＰ仕様モニタ信号（Ｓ１１）を受けて片方向通話路／映像路を形成し、第１インターホン子機１ａから音声／映像信号（Ｓ１２）をＰｏＥスイッチ３，ゲートウェイ６を介してＩＰテレビ電話４ａに送信する。こうして、ＩＰテレビ電話４ａにおいて、第１インターホン子機１ａのカメラ撮像映像が出画されると共に、第１インターホン子機１ａの図示しないマイクが集音した音を報音するモニタ状態になる。
【００３８】
この状態からＩＰテレビ電話４ａを操作して子機切替操作が実施できる。この子機切替操作は、ＩＰテレビ電話４ａのテンキー等の所定のボタン操作で実施でき、ＩＰテレビ電話４ａからＰＢ信号等の子機切替信号（Ｓ１３）がゲートウェイ６に送信される。ゲートウェイ６は、この子機切替信号（Ｓ１３）を第１インターホン子機１ａ及び第２インターホン子機１ｂの双方に送信し、この信号を受けた第１インターホン子機１ａは、音声／映像信号（Ｓ１２）を終了させて片方向通話路を切断する。同時に、この子機切替信号（Ｓ１３）を受けた第２インターホン子機１ｂは、片方向通話路／映像路を形成して音声／映像信号（Ｓ１４）をＰｏＥスイッチ３，ゲートウェイ６を介してＩＰテレビ電話４ａに送信する。
こうして、ＩＰテレビ電話４ａは、第２インターホン子機１ｂのカメラに切り替えて撮像映像の出画及び送話音を報音するモニタ状態が継続される。尚、電話端末によるＷＥＢカメラ２の起動及び切替も同様の操作で実施される。
【００３９】
このモニタ状態の終了は、上記通話の終了と同様であり、通話状態を終了させる為にＩＰテレビ電話４ａで終話操作すると、ＳＩＰ仕様切断信号（Ｓ６）がゲートウェイ６，ＰｏＥスイッチ３を介してインターホン子機１に伝送される。このＳＩＰ仕様切断信号を受信したインターホン子機１は、ＳＩＰ仕様切断応答信号（Ｓ７）を生成してＰｏＥスイッチ３，ゲートウェイ６を介してＩＰテレビ電話４ａに伝送する。こうしてインターホン子機１とＩＰテレビ電話４ａ間の通話路、映像路が切断されて待受け状態に戻る。
【００４０】
このように、電話端末側の操作でインターホン子機のカメラの撮像映像をモニタできるし、送話音を報音できる。また、電話端末からインターホン子機のカメラを選択できるので、複数のインターホン子機またはＷｅｂカメラを備えていても夫々のカメラ映像を電話端末から確認でき利便性が良く、セキュリティの向上を図ることができる。
【００４１】
尚、インターホン子機１からの呼び出しをモニタ無しＩＰ電話４ｂで応答する場合、動作シーケンスは上述したＩＰテレビ電話４ａと同様となる。但し、モニタ無しＩＰ電話４ｂは、インターホン子機１からの映像信号を受信した時には、自身の電話端末制御部２８の制御により映像信号が破棄されて通話のみ可能となる。従って、電話端末において映像を出画する機能が無くても、カメラ付インターホン子機からの呼び出しに対して良好に応答できる。
【００４２】
インターホン子機１からの呼び出しを携帯端末８で応答する場合は以下のようである。図６はこの場合の動作シーケンス図であり、この図に基づいて順に説明する。来訪者等によりインターホン子機１の呼出ボタン１３が押されると、インターホン子機１は、記憶している携帯端末８の電話番号を含むＳＩＰ仕様呼出信号（Ｓ２１）を送信する。ＳＩＰ仕様呼出信号（Ｓ２１）は、ＰｏＥスイッチ３、ゲートウェイ６，公衆ＩＰ通信網Ｑを介してＳＩＰサーバ７に送信される。ＳＩＰサーバ７は、携帯電話網Ｐに対して携帯端末呼出信号（Ｓ２２）を送信し、携帯端末８に呼び出しが成される（電話をかける）。
【００４３】
呼び出しを受けた携帯端末８は、「♯」ボタンを押す等の所定の受信操作が成されると、携帯端末制御部４０の制御により携帯端末受信信号（Ｓ２３）がＳＩＰサーバ７に送信される。ＳＩＰサーバ７は、受信した携帯端末受信信号（Ｓ２３）をＳＩＰ仕様受信信号（Ｓ２４）に変換してゲートウェイ６を介してインターホン子機１に返信する。インターホン子機１は、この返信を受けて片方向通話路／映像路を形成し、音声／映像信号（Ｓ２５）を、ＰｏＥスイッチ３，ゲートウェイ６を介して携帯端末８へ送信する。こうして携帯端末８が呼出状態となる。
【００４４】
この呼び出しを受けて携帯端末８で通話操作を行なうと、携帯端末制御部４０の制御により携帯端末応答信号（Ｓ２６）がＳＩＰサーバ７に送信される。ＳＩＰサーバ７は、受信した携帯端末応答信号（Ｓ２６）をＳＩＰ仕様応答信号（Ｓ２７）に変換して、ゲートウェイ６を介してインターホン子機１に送信する。こうして、インターホン子機１と携帯端末８の間で双方向通話路が形成されて通話状態（Ｓ２８）となる。
【００４５】
その後、携帯端末８で終話操作を行うと、携帯端末切断信号（Ｓ２９）がＳＩＰサーバ７に送信される。ＳＩＰサーバは、受信した携帯端末切断信号（Ｓ２９）をＳＩＰ仕様切断信号（Ｓ３０）に変換してゲートウェイ６を介してインターホン子機１に伝送する。同時にインターホン子機１からＳＩＰ仕様切断応答信号（Ｓ３１）が、ＰｏＥスイッチ３，ゲートウェイ６、公衆ＩＰ通信網Ｑを介してＳＩＰサーバ７に送信される。ＳＩＰサーバ７は、携帯電話網Ｐに対して携帯端末切断応答信号（Ｓ３２）を送信し、インターホン子機１と携帯端末８の間の通話路、映像路が切断されて待受け状態に戻る。
【００４６】
但し、インターホン子機１は、通話状態（Ｓ２８）中に、例えば１０分等の所定時間が経過、又は呼出音／音声／映像信号（Ｓ２５）を送信している呼出状態中に、例えば２分等の所定時間が経過すると、終話操作された時と同じ動作を実施して携帯端末８は待受け状態となる。
【００４７】
次に、携帯端末８の操作によりインターホン子機１（第１インターホン子機１ａ）を起動させてモニタするモニタ動作を図７のシーケンス図を基に説明する。まず、携帯端末８に予め設定されている第１インターホン子機１ａを起動させる内線番号をテンキー等を操作して選択する。この操作により、携帯端末制御部４０の制御により携帯端末モニタ信号（Ｓ３５）が生成され、ＳＩＰサーバ７に送信される。
【００４８】
ＳＩＰサーバ７は、受信した携帯端末モニタ信号（Ｓ３５）をＳＩＰ仕様モニタ信号（Ｓ３６）に変換し、ゲートウェイ６，ＰｏＥスイッチ３を介してインターホン子機１に送信する。第１インターホン子機１ａは、このＳＩＰ仕様モニタ信号（Ｓ３６）を受けて片方向通話路／映像路を形成し、音声／映像信号（Ｓ３７）をＰｏＥスイッチ３，ゲートウェイ６を介して携帯端末８に送信する。こうして、携帯端末８は第１インターホン子機１ａのカメラ撮像映像を出画すると共に、送話音を報音するモニタ状態になる。
【００４９】
その後、携帯端末８の所定のボタン操作で子機切替操作を行なうと、携帯端末８からＰＢ信号等の携帯端末子機切替信号（Ｓ３８）が送信され、ＳＩＰサーバ７は受信した携帯端末子機切替信号（Ｓ３８）をＳＩＰ仕様子機切断信号（Ｓ３９）に変換し、ゲートウェイ６，ＰｏＥスイッチ３を介してインターホン子機１に送信する。
【００５０】
ゲートウェイ６は、このＳＩＰ仕様子機切替信号（Ｓ３９）を第１インターホン子機１ａ及び第２インターホン子機１ｂの双方に送信し、この信号を受けた第１インターホン子機１ａは、音声／映像信号を終了させて片方向通話路を切断する。同時に、この切替信号（Ｓ３９）を受けた第２インターホン子機１ｂは、片方向通話路／映像路を形成して音声／映像信号（Ｓ４０）をＰｏＥスイッチ３，ゲートウェイ６を介して携帯端末８に送信する。こうして、携帯端末８は、第２インターホン子機１ｂのカメラに切り替えて撮像映像の出画及び送話音を報音するモニタ状態が継続される。尚、携帯端末８によるＷＥＢカメラ２の起動及び切り替えも同様の操作で実施される。
【００５１】
このモニタ状態の終了は、上記通話の終了と同様であり、携帯端末８で終話操作すると、携帯端末切断信号（Ｓ２９）がＳＩＰサーバ７に送信される。ＳＩＰサーバ７は、受信した携帯端末切断信号をＳＩＰ仕様切断信号（Ｓ３０）に変換し、ゲートウェイ６を介してインターホン子機１に伝送する。同時にインターホン子機１から、ＳＩＰ仕様切断応答信号（Ｓ３１）が、ゲートウェイ６、公衆ＩＰ通信網Ｑを介してＳＩＰサーバ７に送信される。ＳＩＰサーバ７は、携帯電話網Ｐに対して携帯端末切断応答信号（Ｓ３２）を送信し、インターホン子機１と携帯端末８の間の通話路、映像路が切断されて待受け状態に戻る。
【００５２】
このように、インターホン子機から携帯端末に呼び出しが成されたら、携帯端末において呼出音の鳴動に合わせて来訪者映像をモニタに出画させることができ、応答操作することなく映像で来訪者を確認することができる。そして、来訪者映像を見ながら携帯端末で応答することができる。よって、インターホン親機の機能を携帯端末に持たせることができる。
また、インターホン子機との間で通話路を形成した携帯端末が、一定時間経過しても終話操作されなければ、携帯端末は自動で待受け状態に戻るし、インターホン子機からの呼出状態となっている時に、携帯端末で一定時間応答することがなければ待受け状態に戻るので利便性が良い。
【００５３】
更に、携帯端末側の操作でインターホン子機またはＷｅｂカメラを起動させてカメラの撮像映像をモニタして送話音を報音できるし、携帯端末からインターホン子機またはＷｅｂカメラのカメラを選択できるので、複数のインターホン子機及びＷｅｂカメラを備えた構成であっても夫々のカメラ映像をインターホン親機以外から確認でき利便性が良く、セキュリティの向上を図ることができる。
【００５４】
尚、上記実施形態は、携帯端末８を１つ備えたシステムを説明しているが、家族構成に合わせて複数使用することも容易に実施できる。また、携帯端末８を屋外で使用する場合を説明したが、屋内で携帯端末８が使用できることは勿論である。
【図面の簡単な説明】
【００５５】
【図１】本発明に係るテレビインターホンシステムの実施形態の一例を示す構成図である。
【図２】図１のＩＰテレビ電話の回路ブロック図である。
【図３】図１の携帯端末の回路ブロック図である。
【図４】ＩＰテレビ電話への呼び出し、通話、終話動作のシーケンス図である。
【図５】ＩＰテレビ電話をモニタ操作した場合のモニタ動作シーケンス図である。
【図６】携帯端末への呼び出し、通話、終話動作のシーケンス図である。
【図７】携帯端末をモニタ操作した場合のモニタ動作シーケンス図である。
【符号の説明】
【００５６】
１・・インターホン子機、２・・Ｗｅｂカメラ、３・・ＰｏＥスイッチ、４・・電話端末、４ａ・・ＩＰテレビ電話（電話端末）、４ｂ・・モニタ無しＩＰ電話（電話端末）、６・・ゲートウェイ、７・・ＳＩＰサーバ、８・・携帯端末、１２・・カメラ、１４・・記憶部（電話番号記憶部）、１５・・制御部（子機制御部、映像信号制御手段、通話路制御手段）、１６・・モニタ、２５・・ダイヤルボタン（子機起動ボタン、モニタ選択操作部）、２８・・電話端末制御部（呼出・応答制御手段）、３７・・操作部（子機起動ボタン、モニタ選択操作部）、３９・・モニタ、４０・・携帯端末制御部（呼出・応答制御手段）、Ｐ・・携帯電話網、Ｑ・・公衆ＩＰ通信網、Ｌ１〜Ｌ５・・通信線。
【図１】
2009117916.tif 000003
【図２】
2009117916.tif 000004
【図３】
2009117916.tif 000005
【図４】
2009117916.tif 000006
【図５】
2009117916.tif 000007
【図６】
2009117916.tif 000008
【図７】
2009117916.tif 000009